(57)【要約】【課題】洗い作業の際に、飛び散る水しぶきの量に応じて容易に高さ調節が可能な、簡単な構造で製造コストの低廉な水はねガードを提供することである。【解決手段】水しぶきを遮るガード板１１と、ガード板１１を流し台に取り付ける取り付け具１２とからなる水はねガード１０において、上縁が円弧状の略半円形である半硬質合成樹脂製のガード板１１に、上下方向に並列する複数の固定孔を設け、基部と吸盤とで構成した取り付け具１２の、基部を固定孔に差込み係止する構成を採用した。取り付け具１２を流し台に取り付けた状態で、ガード板１１を取り付け具１２から取り外し、上下動させ、所望の高さで再度取り付け具１２に固定することで高さ調節を行う。【選択図】図１
0003114231.tif 000002
【実用新案登録請求の範囲】
【請求項１】
水しぶきを遮るガード板１１と、前記ガード板１１を流し台に取り付ける取り付け具１２とからなり、前記取り付け具１２を、前記ガード板１１の上下方向任意又は特定複数の位置に固定可能に形成した水はねガード。
【請求項２】
上記ガード板１１に上下方向に並ぶ複数の固定孔１１ａを設け、上記取り付け具１２に基部１２ａを設け、前記固定孔１１ａに前記基部１２ａを差込み係止することで、前記取り付け具１２を前記ガード板１１の上下方向複数の位置に固定可能とした請求項１に記載の水はねガード。
【請求項３】
上記ガード板１１は、上縁が円弧状の略半円形である請求項１または２に記載の水はねガード。
【請求項４】
上記ガード板１１は、半硬質合成樹脂製である請求項１から３のいずれかに記載の水はねガード。
【考案の詳細な説明】
【技術分野】
【０００１】
この考案は、流し台に取り付けて、水はねに伴う衣類や床の濡れを防ぐ水はねガードに関する。
【背景技術】
【０００２】
流し台で食器や食品を洗う際には、蛇口から流出する水が食器等に当たって周辺に飛び散り、衣類や床を濡らしてしまうことがよくある。濡れた衣類や床をそのまま放置すると、雑菌が繁殖して非衛生的である一方、洗い作業のたびに洗濯や掃除をするとなると手間がかかった。
【０００３】
そこで特許文献１に記載のように、ガード板と、ガード板の所定位置に固着された取り付け具とからなる水はねガードが考案されている。このような水はねガードを取り付け具により、流し台手前側面に取り付けると、手前側に飛散した水がガード板により遮られ、衣類や床が濡れるのを防ぐことができる。
【０００４】
しかし上記した構成の場合、流し台へ水はねガードを取り付ける取り付け具は、ガード板の所定の位置に固定されている。そのため、飛び散る水しぶきの量に応じて水はねガードの高さを調節することが困難であり、もしするとなると、一旦流し台への取り付けを解除し、再度異なる高さに取り付け具を取り付けし直さねばならず、洗い作業の最中にこのような動作を行うことは煩雑であった。
【０００５】
一方で、ガード板を複数の板状体から構成し、これらをスライド可能に連結することで、水はねガードの高さ調節を可能とすることも考えられるが、特許文献１に記載の水はねガードと比較すると、構造が複雑であり、製造に手間がかかるため、コストが高くつく。
【特許文献１】特開平１１−６１９２４号公報
【考案の開示】
【考案が解決しようとする課題】
【０００６】
そこでこの考案の解決すべき課題は、洗い作業の際に、飛び散る水しぶきの量に応じて容易に高さ調節が可能な、簡単な構造で製造コストの低廉な水はねガードを提供することである。
【課題を解決するための手段】
【０００７】
上記した課題を解決するため、この考案にかかる水はねガードを、水しぶきを遮るガード板と、ガード板を流し台に取り付ける取り付け具とから構成し、取り付け具をガード板の上下方向の任意又は特定複数の位置に固定可能とした。
【０００８】
上記した構成により、取り付け具を流し台側面に取り付けた状態で、ガード板を取り付け具から取り外し、所望の高さで再度取り付け具に固定し、水はねガードの高さ調節が容易に行うことができる。
【０００９】
ガード板に上下方向に並ぶ複数の固定孔を設け、取り付け具に基部を設け、固定孔に基部を差込み係止することで、取り付け具をガード板の上下方向複数の位置に固定可能とすると、簡単な構造で水はねガードの高さ調節が可能となる。
【００１０】
ガード板を上縁が円弧状の略半円形とすると、食器洗い等の際にガード板の角に衣類等が引っかかる心配がなく、洗い作業を円滑に遂行することができる。ガード板を半硬質合成樹脂製とすると、流し台側面がカーブしている場合にも、流し台側面の形状に合致するように湾曲させることができるため、確実にフィットさせることができる。
【考案の効果】
【００１１】
取り付け具をガード板の上下方向の任意又は特定複数の位置に固定可能に形成することで、取り付け具のガード板に対する固定位置を適宜変更することができる。そのため、取り付け具を流し台に取り付けたままでガード板を上下に移動させ、水はねガードの高さを容易に調節することができる。また、構造が比較的簡単であるため、製造コストが低廉である。
【考案を実施するための最良の形態】
【００１２】
図１から４にこの考案にかかる水はねガードの実施形態を示す。まず、図１のように、水はねガード１０は、水しぶきを遮るガード板１１と、ガード板１１を流し台に取り付ける取り付け具１２とからなる。
【００１３】
図２にガード板１１と取り付け具１２の詳細を示す。図２(ａ)のように、ガード板１０は、上縁が円弧状のほぼ半円形であり、その両側縁には、固定孔１１ａが上下方向に２つずつ並列して設けられている。固定孔１１ａは、大径部１１ｂと、小径部１１ｃがつながったほぼ瓢箪形に形成されている。ガード板１０は半硬質の合成樹脂製であり、合成樹脂板を打ち抜くことで、簡易かつ安価に作製される。なお、固定孔１１ａの数及び位置は、勿論この実施形態に限定されることはない。
【００１４】
図２(ｂ)のように、取り付け具１２は、基部１２ａと吸盤１２ｂとからなる。基部１２ａは、先端部１２ｃと基端部１２ｄからなり、先端部１２ｃの径は前記固定孔１１ａの大径部１１ｂの径とほぼ同じであり、基端部１２ｄの径は前記固定孔１１ａの小径部１１ｃとほぼ同じに形成されている。取り付け具１２は、軟質塩化ビニル等の軟質合成樹脂製であるため、吸盤１２ｂは吸着力が良好である。
【００１５】
図３に取り付け具１２のガード板１１への固定方法を示す。図３(ａ)のように、取り付け具１２の基部１２ａを、ガード板１１の固定孔１１ａの大径部１１ｂに差込み、次いで図３(ｂ)のように、小径部１１ｃにスライドさせる。
【００１６】
上記したように、取り付け具１２の基部１２ａの先端部１２ｃの径が、固定孔１１ａの大径部１１ｂの径とほぼ同じであるため、固定孔１１ａの大径部１１ｂに先端部１２ｃから基端部１２ｄにかけて差込むことができる。また、取り付け具１２の基部１２ａの基端部１２ｄの径が、固定孔１１ａの小径部１１ｃの径とほぼ同じであるため、スライドさせると、基端部１２ｄが小径部１１ｃに丁度嵌まり込み固定されることとなる。ガード板１１から取り付け具１２を取り外すときはこの逆の動作を行えばよい。
【００１７】
図４(ａ)、(ｂ)のように、流し台のシンク内面に取り付け具１２を取り付けた場合において、ガード板１１を上下に移動させ、上記したようなガード板１１と取り付け具１２の着脱動作を順次行うと、ワンタッチで水はねガード１０の高さ調節が可能となる。ここで、上述したようにガード板１１は半硬質合成樹脂製であるため、シンク内面に取り付ける際には、その形状に沿うように適宜湾曲させることができる。
【００１８】
なお、この実施形態では、取り付け具１２の流し台への取り付け部分を吸盤１２ｂとしたがこれに限られず、取り付け部分を流し台に貼り付け可能な粘着部材とするかあるいは、流し台が磁性ステンレス等の磁石を吸着する素材からなる場合には、取り付け部を磁石とするなど適宜選択が可能である。
【００１９】
さらに、この実施形態では、ガード板１１に固定孔１１ａを設け、取り付け具１２に基部１２ａを設け、基部１２ａを固定孔１１ａに差し込んで固定する方式を採用したがこれに限られることはない。たとえば、ガード板１１を、固定孔１１ａを設けない無垢の板状体とし、取り付け具１２を、ガード板及び流し台に貼り付け可能な粘着部材とするかあるいは、取り付け具１２を、ガード板１１を挟み込む一対の磁石としてもよい。このようにすれば、上記したような固定孔１１ａの位置に限定されることなく、任意の位置において、ガード板１１を取り付け具１２に固定することが可能となり、水はねガード１０の高さの微調節が可能となる。
【図面の簡単な説明】
【００２０】
【図１】水はねガードの斜視図
【図２】(ａ)はガード板の平面図、(ｂ)は取り付け具の斜視図
【図３】(ａ)、(ｂ)は取り付け具のガード板への固定図
【図４】(ａ)、(ｂ)は水はねガードの使用状態図
【符号の説明】
【００２１】
１０  水はねガード
１１  ガード板
１１ａ  固定孔
１１ｂ  固定孔の大径部
１１ｃ  固定孔の小径部
１２  取り付け具
１２ａ  取り付け具の基部
１２ｂ  取り付け具の吸盤
１２ｃ  基部の先端部
１２ｄ  基部の基端部
【図１】
0003114231.tif 000003
【図２】
0003114231.tif 000004
【図３】
0003114231.tif 000005
【図４】
0003114231.tif 000006